(57)【特許請求の範囲】
【請求項１】
ステータとロータのうちいずれか一方に界磁用のマグネットを設け、他方に電機子コイルを設けたモータにおいて、前記マグネットを磁極の並ぶ方向と交差する方向に複数分割し、それら分割マグネットの相互間を、絶縁層をコーティングした磁性体製の薄肉の板材により電気的に絶縁したことを特徴とするモータ。
【請求項２】
分割マグネットのうち電機子コイルとの対向面に磁極の並ぶ方向に延びる凸部または凹部を磁極の並ぶ方向と交差する方向に複数形成したことを特徴とする請求項１記載のモータ。
【発明の詳細な説明】
【０００１】
【産業上の利用分野】
本発明はステータとロータのうちいずれか一方に界磁用のマグネットを設け、他方に電機子コイルを設けたモータに係わり、特にマグネットの渦電流損の減少化を図ったモータに関する。
【０００２】
【従来の技術】
例えばマグネット形ロータを備えた直流モータにあっては、ロータコアの外周部に筒状の界磁用マグネットを取着し、ステータに複数個の電機子コイルを装着する構成としている。そして、電機子コイルを順次通断電制御することにより、ロータを回転させるようにしている。
【０００３】
【発明が解決しようとする課題】
電機子コイルの通断電により、該電機子コイルの磁界の強さは強弱変化し、これに伴い界磁用のマグネットには、図７に矢印Ａで示すような渦電流が誘起される。特に、マグネットをネオジューム−鉄−ボロン系、サマリューム−コバルト系の材料により形成したものでは、それらの抵抗率が前者では0.00013 Ω・ｃｍ、後者で0.00009 Ω・ｃｍと小さいため、大きな渦電流が流れ、その損失が無視できないものとなり、モータとしての効率が低下したり、マグネットが発熱する等の問題を生じていた。
【０００４】
本発明は上記の事情に鑑みてなされたもので、その目的は、電機子コイルの通電により界磁用マグネットに誘起される渦電流を減少し、渦電流損による電力損失を減少することができるモータを提供するにある。
【０００５】
【課題を解決するための手段】
上記目的を達成するために本発明は、第１の手段として、ステータとロータのうちいずれか一方に界磁用のマグネットを設け、他方に電機子コイルを設けたモータにおいて、前記マグネットを磁極の並ぶ方向と交差する方向に複数分割し、それら分割マグネットの相互間を絶縁したことを特徴とするものである。
【０００６】
この場合、分割マグネットの相互間の絶縁は、絶縁層をコーティングした磁性体製の薄肉の板材により行う。また、更なる渦電流の減少化を図るために、分割マグネットのうち電機子コイルとの対向面に磁極の並ぶ方向に延びる凸部または凹部を磁極の並ぶ方向と交差する方向に複数形成することが好ましい。
【０００８】
【作用】
上記第１の手段によれば、マグネットが複数個に分割された形態となっているから、渦電流の通路が狭くなって電気抵抗が増加する。このため、電機子コイルの通断電により生ずる磁界の強弱変化によってマグネットに誘起される渦電流を小さくすることができ、渦電流損による電力損失を減少できる。
【００１０】
【実施例】
以下、本発明をラジアルギャップ形の直流モータに適用した第１の実施例を図１〜図３に基づいて説明する。
モータの全体構成を示す図１において、一対の分割ケース１，２からなるモータケース３の内側には、積層鋼板からなるステータコア４の複数個の各ティース４ａに電機子コイル５を巻装してなるステータ６が嵌着されている。
【００１１】
一方、上記分割ケース１，２の端面部中央にはボールベアリングからなる軸受７，８が装着されており、この軸受７，８にロータ９のシャフト１０が回転可能に支承されている。そして、シャフト１０にはハブ１１を介してロータ本体１２が取着されており、このロータ本体１２は鉄等の磁性体により有底の円筒状に形成されたロータヨーク１３にマグネット１４を取着して成る。
【００１２】
上記マグネット１４は、リング状の分割マグネット１５を複数個軸方向に重ねて構成されており、それら分割マグネット１５は例えばネオジューム−鉄−ボロン系、サマリューム−コバルト系の材料により形成され、Ｎ極とＳ極とが円周方向に交互に並ぶように着磁されている。従って、マグネット１４は磁極の並ぶ方向と交差する方向すなわち軸方向に複数分割された形態となっている。そして、各分割マグネット１５間には、図２に示すように表面に樹脂層などの絶縁層１６ａをコーティングした珪素鋼板などの磁性体からなる比較的薄肉のリング状の板材１６が挟み付けられており、この板材１６の絶縁層１６ａによって分割マグネット１５の相互間が電気的に絶縁されている。
【００１３】
上記構成において、モータの運転時、複数個の電機子コイル５は順次通断電制御される。この電機子コイル５の通断電により該電機子コイル５の磁界の強さが変化するため、その影響を受けてマグネット１４に渦電流が発生する。この場合、マグネットが単一のマグネットで構成されている従来では渦電流は図１０に矢印Ａで示すようにマグネットＭの軸方向全体を通路として流れるので、渦電流の通路としては広く、その電気的抵抗が小さいため、大きな電流値となる。
【００１４】
しかしながら、本実施例によれば、マグネット１４は磁極の並ぶ方向と交差する方向すなわちラジアルギャップ形モータにあっては軸方向に複数の分割マグネット１５に分割されていることにより、渦電流は図３に矢印Ｂで示すように各分割マグネット１５に流れるようになるので、渦電流の通路が狭くなり、この結果、分割マグネット１５がネオジューム−鉄−ボロン系、サマリューム−コバルト系等の電気抵抗の小さな材料により形成されていても、渦電流の通路の電気抵抗としては大きくなり、小さな渦電流しか流れなくなる。従って、渦電流損が小さくなり、モータ効率が高くなる。
【００１５】
ここで、渦電流損Ｗｅは一般には、Ｗｅ＝σｅ・ｔ２・ｆ２・Ｂ２で表される。なお、σｅは材料によって決まる定数、ｔは厚さ、ｆは交番磁界の周波数、Ｂは最大磁束密度である。従って、マグネット１４を分割して厚さ（軸方向長さ）を小さくすることにより、渦電流損を小さくできることが理解される。
【００１６】
ちなみに、渦電流は表層を流れるので、その渦電流を小さくするために、積層鋼板で構成された筒体をマグネットの外周部に嵌合することが考えられるが、このようにすると、ステータコアとマグネットとの間の距離が長くなるため、有効磁束密度が減少し、モータ効率が低下する。しかるに、本実施例では、積層鋼板からなる筒体を設けずとも渦電流の減少化を図ることができるので、ステータコア４とマグネット１４との間の距離を短くでき、効率低下を避けることができるものである。
【００１７】
また、本実施例では、分割マグネット１５相互間の絶縁を、絶縁層１６ａをコーティングした磁性体製の板材１６により行う構成としたことにより、板材１６も磁化されて両側の分割マグネット１６を吸引する力が生ずるので、分割マグネット１５相互をＳ，Ｎの両極が円周方向に関して同一位置となるようにロータヨーク１３に固定する場合、分割マグネット１５の相互間に作用する反発力を小さくでき、その固定作業が行い易くなる。
【００１９】
図４は本発明の第２の実施例を示すもので、前記第１の実施例との相違は、各分割マグネット１５のうち電機子コイル５との対向面である外周面に、磁極の並ぶ方向である円周方向に延びて分割マグネット１５を一周する凹部、この実施例では幅の狭い溝１７を軸方向に複数本並行状態に形成したところにある。
【００２０】
このように構成した場合には、渦電流が分割マグネット１５の表層に流れることを考慮すると、各分割マグネット１５が渦電流の通路に関して更に軸方向に分割されたことと同等となるので、当該通路が更に狭められたこととなり、渦電流を一層小さくすることができる。
【００２１】
図５は本発明の第３の実施例を示すもので、前記第１の実施例との相違は、各分割マグネット１５のうち電機子コイル５との対向面である外周面に、磁極の並ぶ方向である円周方向に延びて分割マグネット１５を一周する凸部１８を軸方向に複数個並行状態に形成したところにある。ここで、凸部１８の軸方向幅寸法は、当該突部１８を形成することによって凹部となる部分（符号１９で示す部分）と同等に設定されている。
このように構成しても、各分割マグネット１５が渦電流の通路に関して更に軸方向に分割されたと同等となるので、その通路が更に狭められたこととなり、渦電流を一層小さくすることができる。
なお、凸部１８としては、溝１７と同様の下幅の狭いものとしても良い。
【００２６】
図６は本発明の第４の実施例を示す。この実施例は、界磁用のマグネット２５と図示しない電機子コイルとが軸方向に対向するように配置したアキシャルギャップ形のモータに適用したもので、電機子コイルは、例えばステータヨークを構成する鋼板の表面上に絶縁部材を介して円形配置され、マグネット２５は円盤状に形成され、電機子コイルと軸方向に対向するように円盤状のロータヨークに取着される。
【００２７】
しかして、マグネット２５は、Ｎ，Ｓの磁極の並ぶ方向である円周方向と交差する方向、すなわち径方向に複数に分割され、これら分割マグネット２６を同心状に配置して構成されている。なお、分割マグネット２６の相互間は図示はしないが、絶縁層によりコーティングされたリング状の鋼板、分割マグネット２６にコーティングされた絶縁層等により電気的に絶縁されている。
このように構成しても、マグネット２５において渦電流は径方向に流れるが、マグネット２５は径方向に複数分割されているので、渦電流の通路が狭くなり、渦電流を小さくすることができる。
【００２８】
本発明は上記し且つ図面に示す実施例に限定されるものではなく、次のような変更または拡張が可能である。
分割マグネット２６の電機子コイルとの対向面には、円周方向に延びる凸部或いは凹部を径方向に複数個形成しても良い。
電機子コイルをロータ側に設け、界磁用のマグネットをステータ側に設けるようにしても良い。
【００２９】
【発明の効果】
以上説明したように本発明によれば、次のような効果を得ることができる
請求項１記載のモータでは、マグネットを磁極の並ぶ方向と交差する方向に複数分割し、それら分割マグネットの相互間を電気的に絶縁したことにより、マグネットに流れる渦電流（渦電流損）を小さくすることができ、効率が高くなる。
しかも、分割マグネットの相互間の電気的絶縁を、構成としたことにより、分割マグネットを結合するとき、分割マグネット間に作用する反発力を軽減することができるので、作業性が向上する。
【００３２】
請求項２記載のモータでは、分割マグネットのうち電機子コイルとの対向面に磁極の並ぶ方向に延びる凸部または凹部を磁極の並ぶ方向と交差する方向に複数形成する構成としたことにより、渦電流を更に小さくすることができる。
【図面の簡単な説明】
【図１】本発明の第１の実施例を示す縦断側面図
【図２】界磁用のマグネットの部分縦断面図
【図３】界磁用のマグネットの部分展開図
【図４】本発明の第２の実施例を示す図２相当図
【図５】本発明の第３の実施例を示す図２相当図
【図６】本発明の第４の実施例を示す図２相当図
【図７】従来の界磁用のマグネットを示す図３相当図
【符号の説明】
３はモータケース、５は電機子コイル、６はステータ、９はロータ、１４は界磁用のマグネット、１５は分割マグネット、１６は板材、１６ａは絶縁層、１７は溝（凹部）、１８は凸部、２５はマグネット、２６は分割マグネットである。
【図１】
0003631788.tif 000002
【図２】
0003631788.tif 000003
【図３】
0003631788.tif 000004
【図４】
0003631788.tif 000005
【図５】
0003631788.tif 000006
【図６】
0003631788.tif 000007
【図７】
0003631788.tif 000008